(57)【特許請求の範囲】
【請求項１】
各遊技台に隣設された台間ユニットに、
遊技台の下皿から排出された遊技玉を受ける玉受け皿と、
前記玉受け皿で受けた遊技玉から非対象玉と対象玉とに選別する選別部と、該選別部で振分けられた非対象玉を計数センサにて計数する計数部と、が設けられた通路ユニットと、を設け、
下皿から排出された遊技玉を計数し、台間ユニットを経由して遊技島内で回収する遊技台の計数ユニットにおいて、
前記選別部は、
前記玉受け皿に下り勾配を有して設けられた傾斜通路の下端近傍に、回転駆動によって遊技玉を１個毎に移送する送り部と、
前記送り部近傍に設けた、該送り部で１個毎に移送される遊技玉を非対象玉と対象玉とに識別する識別センサと、
前記送り部の下流側に設け、前記識別センサの識別結果によって遊技玉をシャッタの開閉動作により前記計数センサを設けた案内通路側、もしくは迂回通路側へ振分ける通路切替部と、を備え、
前記選別部によって振分けられた非対象玉は、
案内通路へ振り分けられて前記計数部で計数された後、前記台間ユニット内の通路を通過し遊技島内に回収され、
前記選別部によって振分けられた対象玉は、
迂回通路へ振り分けられて前記玉受け皿の内部に設けられた対象玉収納部に貯留される
ことを特徴とする遊技台の計数ユニット。
【請求項２】
各遊技台に隣設された台間ユニットに、
遊技台の下皿から排出された遊技玉を受ける玉受け皿を設け、
前記玉受け皿で受けた遊技玉を、
台間ユニットに設けた選別部で非対象玉と対象玉とに選別し、
該選別部で振分けられた非対象玉を計数部の計数センサにて計数して遊技島内で回収する遊技台の計数ユニットにおいて、
前記選別部は、
前記台間ユニットに下り勾配を有して設けられた傾斜通路の下端近傍に、回転駆動によって遊技玉を１個毎に移送する送り部と、
前記送り部近傍に設けた、該送り部で１個毎に移送される遊技玉を非対象玉と対象玉とに識別する識別センサと、
前記送り部の下流側に設け、前記識別センサの識別結果によって遊技玉をシャッタの開閉動作により前記計数センサを設けた案内通路側、もしくは下部通路側へ振分ける通路切替部と、を備え、
前記選別部によって振分けられた非対象玉は、
案内通路へ振り分けられて前記計数部で計数された後、前記台間ユニットの後方に設けた案内ガイドの非対象玉案内通路を経て遊技島内に回収され、
前記選別部によって振分けられた対象玉は、
下部通路へ振り分けられて前記案内ガイドの対象玉回収通路を経て前記対象玉回収通路と接続した対象玉回収樋で回収して遊技島端若しくは遊技島内に設けた回収部へ移送し貯留されることを特徴とする遊技島の計数ユニット。
【発明の詳細な説明】
【技術分野】
【０００１】
本発明は、遊技場等に設置されている遊技台から賞球として排出された遊技玉を遊技台毎に計数するようにした遊技台の計数ユニットに関する。
【背景技術】
【０００２】
従来から、遊技場等においては、遊技客が玉箱に入れた遊技玉を遊技島の島端等に設けられた玉計数機に投入することによって、獲得した賞球として計数することが行われているが、近時になって、遊技客が玉箱を持って移動する必要がないように、獲得した賞球の計数を遊技台毎に行なう装置が提案されている。
【０００３】
その例として、特許文献１に記載されている「パチンコ台の玉計数機及び玉計数システム」を参照すると、この装置は、一台のパチンコ台毎に設けられた下皿の下方にホッパーユニットとセンサユニットとを備えた玉計数機を備え、下皿からホッパーユニットを通過したパチンコ玉をセンサユニットの計数通路に設けられた玉センサによって自動的に計数するようにしたものである。
【０００４】
ところで、近年の遊技場等においては、材質や色等で区別した交換率の異なる複数種類の遊技玉を用意し、遊技客が特定の遊技玉を選択して遊技を行った後、獲得した賞球を所定の交換率で計数するシステムが提案されている。しかしながら、交換率の異なる遊技玉を他の交換率の遊技玉に混入した状態で計数すると、遊技場又は遊技客のいずれかに損害が発生する。また、遊技客が意図的に交換率の低い遊技玉を玉計数機に投入することによって交換率の高い遊技玉と合わせて計数させるという不正を行った場合、このような不正を防止する必要が生じる。
【０００５】
ところが、上記の特許文献１の装置は、遊技台毎に獲得した遊技玉を計数することが可能であるものの、交換率の異なる遊技玉を正規の遊技玉から選別するという機能を備えたものではないため、上記のような遊技客の不正行為を防止することは不可能であった。
【特許文献１】特開平１０−８５４４２号公報
【発明の開示】
【発明が解決しようとする課題】
【０００６】
本発明は、上記の事情に鑑みてなされたもので、遊技台毎に、交換率の異なる遊技玉の選別を行ない、選別後に正規の遊技玉（賞球）を計数することができる遊技台の計数ユニットを提供することを目的とする。
【課題を解決するための手段】
【０００７】
上記問題を解決するために、本発明の請求項１は、各遊技台に隣設された台間ユニットに、遊技台の下皿から排出された遊技玉を受ける玉受け皿と、玉受け皿で受けた遊技玉から非対象玉と対象玉とに選別する選別部と、該選別部で振分けられた非対象玉を計数センサにて計数する計数部と、が設けられた通路ユニットと、を設け、下皿から排出された遊技玉を計数し、台間ユニットを経由して遊技島内で回収する遊技台の計数ユニットにおいて、選別部は、玉受け皿に下り勾配を有して設けられた傾斜通路の下端近傍に、回転駆動によって遊技玉を１個毎に移送する送り部と、送り部近傍に設けた、該送り部で１個毎に移送される遊技玉を非対象玉と対象玉とに識別する識別センサと、送り部の下流側に設け、識別センサの識別結果によって遊技玉をシャッタの開閉動作により計数センサを設けた案内通路側、もしくは迂回通路側へ振分ける通路切替部と、を備え、選別部によって振分けられた非対象玉は、案内通路へ振り分けられて計数部で計数された後、台間ユニット内の通路を通過し遊技島内に回収され、選別部によって振分けられた対象玉は、迂回通路へ振り分けられて玉受け皿の内部に設けられた対象玉収納部に貯留されることを特徴とする。
【０００８】
また、本発明の請求項２は、各遊技台に隣設された台間ユニットに、遊技台の下皿から排出された遊技玉を受ける玉受け皿を設け、玉受け皿で受けた遊技玉を、台間ユニットに設けた選別部で非対象玉と対象玉とに選別し、該選別部で振分けられた非対象玉を計数部の計数センサにて計数して遊技島内で回収する遊技台の計数ユニットにおいて、選別部は、台間ユニットに下り勾配を有して設けられた傾斜通路の下端近傍に、回転駆動によって遊技玉を１個毎に移送する送り部と、送り部近傍に設けた、該送り部で１個毎に移送される遊技玉を非対象玉と対象玉とに識別する識別センサと、送り部の下流側に設け、識別センサの識別結果によって遊技玉をシャッタの開閉動作により計数センサを設けた案内通路側、もしくは下部通路側へ振分ける通路切替部と、を備え、選別部によって振分けられた非対象玉は、案内通路へ振り分けられて計数部で計数された後、台間ユニットの後方に設けた案内ガイドの非対象玉案内通路を経て遊技島内に回収され、選別部によって振分けられた対象玉は、下部通路へ振り分けられて案内ガイドの対象玉回収通路を経て対象玉回収通路と接続した対象玉回収樋で回収して遊技島端若しくは遊技島内に設けた回収部へ移送し貯留されることを特徴とする。
【発明の効果】
【００１３】
上記のように構成された本発明の遊技台の計数ユニットによれば、遊技台毎に設けられた選別部によって正規の賞球（非対象玉）と交換率の異なる異種類の遊技玉（対象玉）とを選別し、正規の賞球を計数部で計数することができるため、遊技場等において交換率の異なる遊技玉を遊技台毎に識別管理することが可能となる。
【００１４】
また、遊技台毎に遊技客が意図的に交換率の異なる異種類の遊技玉を投入した際の不正行為を検出することができ、このような遊技客の不正行為を防止するための対策を立てることが可能となる。
【発明を実施するための最良の形態】
【００１５】
以下、本発明の実施例について図面を参照しながら説明する。なお、以下の説明においては、非対象玉を各遊技台から排出された賞球ＰＢと称し、対象玉を異種類の遊技玉ＵＢと称する。また、賞球ＰＢと、異種類の遊技玉ＵＢと、をまとめて遊技玉ＰＢ、ＵＢと称する。
【実施例１】
【００１６】
本発明は、図１に示すように、各遊技台１に隣設された遊技玉貸出機、遊技玉計数払出機、カードユニット等からなる台間ユニット３に、遊技台１の下皿９から排出された遊技玉を受ける玉受け皿５を、通路ユニット４を介して設け、下皿９から排出された遊技玉を計数し、台間ユニット３を経由して遊技島内で回収する遊技台１の計数ユニット２において、図４(ａ)、(ｂ)に示すように、玉受け皿５で受けた遊技玉から非対象玉ＰＢと対象玉ＵＢとに選別する選別部７と、該選別部７で振分けられた非対象玉ＰＢを計数する計数部８とを備えてなるものである。
【００１７】
このような本発明による遊技台１の計数ユニット２について詳細に述べると、本実施例では、図４(ａ)、(ｂ)に示すように、選別部７と計数部８は、玉受け皿５（図１参照）の隣設位置に設けられた通路ユニット４内に設けられている。
【００１８】
また、各遊技台１に設けられた下皿９の下方に玉受け皿５が設置され、図３に示すように遊技台１から排出された賞球ＰＢは、下皿９に設けられた通過穴９ａから落下した後、玉受け皿５の内部で受け止められる。また、図２に示すように、玉受け皿５の後方には、通路ユニット４の内部へ到る開口部１２に向かって下り勾配を有する傾斜通路１０が設けられ、また玉受け皿５の内部には後述する対象玉収納部１１を備えた構成とされている。
【００１９】
本実施例では、図２に示すように、傾斜通路１０は開口部１２付近に設けられたガイド１３によって２つのレーン１０ａ、１０ｂを有する構成とされている。このような構成により、図３に示すように、玉受け皿５に落下した賞球ＰＢは、混在された正規の賞球ＰＢではない遊技玉ＵＢと共に傾斜通路１０を下り勾配に沿って転動し、ガイド１３によって２つのレーン１０ａ、１０ｂに分けられた状態で各レーンを下方へ移動する。
【００２０】
以下の説明において、傾斜通路１０の各レーン１０ａ、１０ｂは同様の構成を有するため、そのうちの１レーンについて図４(ａ)、(ｂ)を参照しながら説明する。
【００２１】
図４(ａ)、(ｂ)に示す選別部７は、傾斜通路１０の下端近傍にて通路切替シャッタ（通路切替部）１６の方向（図４（ａ）（ｂ）の反時計周り方向）へ回転駆動されるスプロケット（送り部）１４を有する。このスプロケット１４は外周に複数個の断面半円形の溝１４ａを有し、不図示のモータによって回転駆動され、傾斜通路１０の下り勾配に沿って転動してきた賞球ＰＢ及び混在された正規の賞球ＰＢではない遊技玉ＵＢをスプロケット１４の各溝１４ａに１個毎収容し、回転方向に移送する。
【００２２】
スプロケット１４の上部には天井壁１５が傾斜通路１０の開口部１２から傾斜状に形成されている。この天井壁１５は、後述する機構によって閉ざされた通路切替シャッタ１６の上部からその下流の計数部８付近まで形成され、開口部１２から転動してきた遊技玉ＰＢ、ＵＢが１個毎転動するように所定の高さを保持しながら、図４(ａ)では、閉ざされた状態の通路切替シャッタ１６上を通過する。
【００２３】
また、天井壁１５にはスプロケット１４の近傍に識別センサ１８が設けられている。この識別センサ１８としては、光センサ、近接センサ又は画像センサ等のように遊技玉ＰＢ、ＵＢの差異を判別し得るセンサを適用することができ、識別センサ１８の検知結果を不図示の制御装置を経て傾斜通路１０の下端下部に設けられたソレノイド１９に電気信号として送ることによって、ソレノイド１９の作動を制御するようにしている。
【００２４】
また、ソレノイド１９に設けられた横方向に作動する可動片１９ａの端部はクランク２２を回動自在に軸支する支軸２０の下部に回動自在に結合され、さらにこの可動片１９ａの結合部１９ｂよりも下方に作動片２１の一端を回動自在に結合すると共に、作動片２１の他端を通路切替シャッタ１６の下部に回動自在に結合した構成とされている。このようなソレノイド１９の作動によって、通路切替シャッタ１６は回動軸１６ａを中心に回動し、この通路切替シャッタ１６の開閉動作によって、スプロケット１４から送られてきた遊技玉ＰＢ、ＵＢを、閉状態時（図４（ａ）に示す通路切替シャッタ１６の状態）、案内通路１７の方向へ案内し、また、開状態時（図４（ｂ）に示す通路切替シャッタ１６の状態）、案内通路１７の下方に設けられた迂回通路２６の方向へ振分けたりすることが可能である。
【００２５】
なお、クランク２２はその上端にバネ２２ａが結合され、通路切替シャッタ１６が開状態から待機状態である閉状態に回動する際、バネ２２ａによって迅速に回動させるようにしている。
【００２６】
このような構成により、識別センサ１８によって、スプロケット１４の溝１４ａに収容された遊技玉ＰＢ、ＵＢが正規の賞球ＰＢであると判別されたとき、これを非対象玉ＰＢとして、図４（ａ）に示すように、通路切替シャッタ１６を閉じた状態にし、これによって正規の賞球ＰＢは通路切替シャッタ１６を経て案内通路１７を通過した後、計数部８に到る。
【００２７】
この計数部８は下り勾配を有する案内通路１７の下流側にあって天井壁１５が切れた箇所に計数センサ２３が設けられてなり、この計数センサ２３の下方を通過する正規の賞球ＰＢの数を計数することができる。さらに、計数部８を通過した正規の賞球ＰＢは、計数部８の下流側に設けられた開口２４を経て、台間ユニット３内の不図示の通路を通過した後、遊技島内に回収され、再び遊技島内を循環して各遊技台１で使用される。
【００２８】
また、上記の識別センサ１８によってスプロケット１４の溝１４ａに収容された遊技玉ＰＢ、ＵＢが正規の賞球ＰＢではないと判別されたとき、これを対象玉ＵＢとして、図４(ｂ)に示すように、通路切替シャッタ１６を開くことにより、案内通路１７の下方に設けられた迂回通路２６に送り、図５に示すように、この対象玉ＵＢを玉受け皿５の内部に設けられた対象玉収納部１１へ移送して貯留する。この対象玉収納部１１は、図１又は図２において、前方へ引き出すことができ、この前面側に施錠２８が施され、遊技客が勝手に開けることができないようにしてあり、店員が開錠して内部に貯留された対象玉ＵＢを回収することが可能とされている。
【００２９】
なお、迂回通路２６に計数センサ３１を設け、この迂回通路２６を通過する対象玉ＵＢの通過数を計数し、例えば対象玉ＵＢが所定数計数されたとき、遊技客に意図的な不正行為があるとみなして警告等の対象とすることにより、不正行為の対策を立てることが可能となる。
【００３０】
なお、本実施例においては、図６、及び図７(ａ)、(ｂ)に示すような構成としてもよい。図６に示すように、各遊技台１に隣設した台間ユニット３の後方に案内ガイド３０を設けると共に、遊技島内に遊技台１と同様、横方向直線的に対象玉回収樋２９を設け、案内ガイド３０と接続する構成となる。
【００３１】
案内ガイド３０は、後述する図７（ａ）、（ｂ）の構成にて選別された非対象玉ＰＢを遊技島内へ移送する非対象玉案内路３０ａと同様の構成にて選別された対象玉ＵＢを対象玉回収樋２９に移送する対象玉案内路３０ｂを有する。
【００３２】
対象玉回収樋２９は、上記の案内ガイド３０の対象玉案内路３０ｂと接続しており、該対象玉案内路３０ｂより移送された対象玉ＵＢを遊技島端、若しくは遊技島内に設置された回収部〈図示せず）へ移送するものであり、遊技島内の遊技玉（非対象玉）ＰＢと混在しないよう閉塞された通路を形成している。
【００３３】
図７(ａ)、（ｂ）に示すように、上記の案内通路１７の下方に下部通路３２を設けた構成としている。このような構成において、他の構成は上記と同様であり、識別センサ１８によって、スプロケット１４の溝１４ａに収容された遊技玉ＰＢ、ＵＢが正規の賞球ＰＢ（非対象玉）であると判別されたとき、図７（ａ）に示すように、通路切替シャッタ１６を閉じた状態にし、これによって正規の賞球ＰＢ（非対象玉）は通路切替シャッタ１６を経て案内通路１７を通過して計数部８に到り、計数センサ２３で計数した後、上記のように計数部８の下流側に設けられた開口２４を経て台間ユニット３内の不図示の通路を通過し、台間ユニット３の後方に設けられた案内ガイド３０の非対象玉案内路３０ａを経て遊技島内で回収し、再び遊技島内を循環して各遊技台１で使用することができる。
【００３４】
また、上記の識別センサ１８によってスプロケット１４の溝１４ａに収容された遊技玉ＰＢ、ＵＢが正規の賞球ＰＢ（非対象玉）でない遊技玉ＵＢ（対象玉）であると判別されたとき、図７（ｂ）に示すように、通路切替シャッタ１６を開くことにより、対象玉ＵＢを下部通路３２に送り、さらに下部通路３２から開口２５を経て台間ユニット３内の不図示の通路を通過し、さらに図６に示す台間ユニット３の後方に設けられた案内ガイド３０の対象玉案内路３０ｂを経て対象玉回収樋２９に移送される。移送された対象玉ＵＢは不図示の遊技島端若しくは遊技島内に設置された回収部へ送ることによって貯留することができる。
【００３５】
なお、下部通路３２に通過する対象玉ＵＢを計数する計数センサを設け、この下部通路３２を通過する対象玉ＵＢの通過数を計数し、上記同様、対象玉ＵＢが所定数計数されたときには、遊技客の意図的な不正行為とみなして警告の対象としてもよい。
【実施例２】
【００３６】
この実施例において、選別部７と計数部８は、図８に示すように、各遊技台１に隣設された台間ユニット３内に設けられたものであり、遊技玉ＰＢ、ＵＢは通路ユニット４を通過し、傾斜通路１０’を経た後、図７（ａ）、（ｂ）と同様の構成からなる選別部７を経て、識別センサ１８によって、スプロケット１４の溝１４ａに収容された遊技玉ＰＢ、ＵＢが正規の賞球ＰＢであると判断されたとき、通路切替シャッタ１６を閉じた状態とし、これによって正規の賞球ＰＢは通路切替シャッタ１６を経て案内通路１７を通過する。そして、計数部８に到り、計数センサ２３で計数した後、案内ガイド３０の非対象玉案内路３０ａを経て遊技島内で回収し、再び遊技島内を循環して各遊技台１で使用することができる。
【００３７】
また、上記の識別センサ１８によってスプロケット１４の溝１４ａに収容された遊技玉ＰＢ、ＵＢが正規の賞球ＰＢでない遊技玉ＵＢであると判別されたとき、その動作は図８に不図示であるが、図７(ｂ)に示したのと同様に、通路切替シャッタ１６を開くことにより、対象玉ＵＢを下部通路３２に送り、さらに下部通路３２から案内ガイド３０の対象玉案内路３０ｂを経て対象玉回収樋２９に移送される。移送された対象玉ＵＢは不図示の遊技島端若しくは遊技島内に設置された回収部へ送ることによって貯留することができる。
【００３８】
なお、上記同様、下部通路３２、若しくは案内ガイド３０の対象玉案内路３０ｂに通過する対象玉ＵＢを計数する計数センサを設けることで、対象玉ＵＢが所定数計数されたときに、遊技客に意図的な不正行為があるとみなして警告の対象としてもよい。
【００３９】
また、実施１、２において、対象玉ＵＢを計数する計数センサを設けずとも、通路切替シャッタ１６の可動回数を所定可動数計数することでも、警告の対象として遊技客の意図的な不正行為を防ぐことができる。
【産業上の利用可能性】
【００４０】
本発明の遊技台の計数ユニットは、遊技台毎に、交換率の異なる遊技玉を選別部にて選別を行ない、選別後の正規の遊技玉（賞球）を計数することができる遊技台の計数ユニットとして利用可能である。
【図面の簡単な説明】
【００４１】
【図１】本発明における台間ユニットが隣設された遊技台の斜視図である。
【図２】本発明における実施例１の通路ユニットの斜視図である。
【図３】図２のＡ−Ａ線断面図である。
【図４】本発明における実施例１の通路ユニットの内部構造を示す断面図であり、(ａ)は通路切替シャッタを閉じた状態、（ｂ）は通路切替シャッタを開いた状態を示す。
【図５】本発明における実施例１の通路ユニットの断面図である。
【図６】本発明における遊技台の背後に対象玉回収樋が設けられた状態を示す斜視図である。
【図７】本発明における実施例１の他の態様を示す図であり、(ａ)は通路切替シャッタを閉じた状態、（ｂ）は通路切替シャッタを開いた状態を示す。
【図８】本発明における実施例２の台間ユニットの内部構造を示す断面図である。
【符号の説明】
【００４２】
１  各遊技台
２  計数ユニット
３  台間ユニット
４  通路ユニット
５  玉受け皿
７  選別部
８  計数部
９  下皿
９ａ  通過穴
１０  傾斜通路
１０’  傾斜通路
１０ａ、１０ｂレーン
１１  対象玉収納部
１２  開口部
１３  ガイド
１４  スプロケット（送り部）
１４ａ  溝
１５  天井壁
１６  通路切替シャッタ（通路切替部）
１６ａ  回動軸
１７  案内通路
１８  識別センサ
１９  ソレノイド
１９ａ  可動片
１９ｂ  結合部
２０  支軸
２１  作動片
２２  クランク
２２ａ  コイルバネ
２３  計数センサ
２４  開口
２５  開口
２６  迂回通路
２８  施錠
２９  対象玉回収樋
３０  案内ガイド
３０ａ  非対象玉案内路
３０ｂ  対象玉案内路
３１  計数センサ
３２  下部通路
３３  案内路
ＰＢ  賞球（非対象玉）
ＵＢ  異種類の遊技玉（対象玉）
【図１】
0005238312.tif 000002
【図２】
0005238312.tif 000003
【図３】
0005238312.tif 000004
【図４】
0005238312.tif 000005
【図５】
0005238312.tif 000006
【図６】
0005238312.tif 000007
【図７】
0005238312.tif 000008
【図８】
0005238312.tif 000009